(57)【要約】  美容成分を皮膚に接触させた後、当該美容成分に大気中での放電により発生させた水分子と結合した正イオンおよび負イオンを照射する、美容成分の皮膚への浸透を促進する方法、ならびに、美容成分の皮膚への浸透を促進するために用いられる装置であって、大気中での放電により発生させた水分子と結合した正イオンおよび負イオンを発生させるイオン発生部と、美容成分を接触させた皮膚に前記正イオンおよび負イオンを送るための送風部とを備える皮膚浸透促進装置によって、従来より簡単に美容成分を皮膚に浸透できる方法および装置を提供することができる。
2015156017.tif 000002
【特許請求の範囲】
【請求項１】
美容成分を皮膚に接触させた後、当該美容成分に大気中での放電により発生させた水分子と結合した正イオンおよび負イオンを照射する、美容成分の皮膚への浸透を促進する方法。
【請求項２】
前記正イオンはＨ＋（Ｈ２Ｏ）ｍ（ｍは任意の自然数）であり、前記負イオンはＯ２−（Ｈ２Ｏ）ｎ（ｎは任意の自然数）である、請求項１に記載の美容成分の皮膚への浸透を促進する方法。
【請求項３】
美容成分の皮膚への浸透を促進するために用いられる装置であって、
大気中での放電により発生させた水分子と結合した正イオンおよび負イオンを発生させるイオン発生部と、
美容成分を接触させた皮膚に前記正イオンおよび負イオンを送るための送風部とを備える、美容成分の皮膚浸透促進装置。
【請求項４】
前記正イオンはＨ＋（Ｈ２Ｏ）ｍ（ｍは任意の自然数）であり、前記負イオンはＯ２−（Ｈ２Ｏ）ｎ（ｎは任意の自然数）である、請求項３に記載の美容成分の皮膚浸透促進装置。
【発明の詳細な説明】
【技術分野】
【０００１】
本発明は、化粧品などに含まれる美容成分の皮膚への浸透を促進するための技術に関する。
【背景技術】
【０００２】
従来より、化粧品などは、その効果を十分に発揮するために、化粧品などに含まれている美容成分を皮膚に浸透させることが要望されている。美容成分の皮膚への浸透を促進する方法としては、たとえば、イオン導入と呼ばれる、直流電流を用いてイオン化した成分を、皮膚を通電することにより皮膚の奥まで浸透する方法が有名である。【０００３】
また、たとえば特開２００１−４９７号公報（特許文献１）には、超音波素子を用いて化粧品を微細化することによって、成分の肌への浸透を高めるという方法が提案されている。
【先行技術文献】
【特許文献】
【０００４】
【特許文献１】特開２００１−４９７号公報
【発明の概要】
【発明が解決しようとする課題】
【０００５】
しかしながら、上述のイオン導入では、浸透効果が高い一方で、美容成分のうち電気的刺激に弱い成分はイオン化の段階で分解され、本当に成分の効能を保ったまま浸透されているか不明という難点があった。また、効果を得るために５分程度皮膚に通電する必要があり、手間がかかるという難点もあった。【０００６】
また、上述の特許文献１に記載された方法においては、微細化されているとはいえ粒子の大きさは皮膚の隙間と比較すると非常に大きく、浸透性向上効果には疑問があった。【０００７】
本発明は、上記のような課題を解決するためになされたものであって、その目的は、従来より簡単に美容成分を皮膚に浸透できる方法および装置を提供することである。
【課題を解決するための手段】
【０００８】
本発明は、美容成分を皮膚に接触させた後、当該美容成分に大気中での放電により発生させた水分子と結合した正イオンおよび負イオンを照射する、美容成分の皮膚への浸透を促進する方法である。【０００９】
本発明はまた、美容成分の皮膚への浸透を促進するために用いられる装置であって、大気中での放電により発生させた水分子と結合した正イオンおよび負イオンを発生させるイオン発生部と、美容成分を接触させた皮膚に前記正イオンおよび負イオンを送るための送風部とを備える、美容成分の皮膚浸透促進装置についても提供する。【００１０】
本発明において、前記正イオンはＨ＋（Ｈ２Ｏ）ｍ（ｍは任意の自然数）であり、前記負イオンはＯ２−（Ｈ２Ｏ）ｎ（ｎは任意の自然数）であることが好ましい。
【発明の効果】
【００１１】
本発明によれば、従来よりも美容成分が皮膚深くまで浸透され、美容成分の効能を十分に得ることができる方法およびそのための装置を提供することができる。
【図面の簡単な説明】
【００１２】
【図１】本発明の美容成分の皮膚への浸透を促進する方法に好適に用いられる装置におけるイオン発生素子６０を用いたイオン発生の原理を説明するための模式図である。
【図２】図１に示したイオン発生素子６０を備える装置（本発明の皮膚浸透促進装置の好ましい一例（実施の形態１））全体の外観を示す模式図である。
【図３】本発明の好ましい他の例の皮膚浸透促進装置７１（実施の形態２）の外観を模式的に示す図である。
【図４】本発明の好ましい他の例の皮膚浸透促進装置７１（実施の形態２）の断面を模式的に示す図である。
【図５】本発明の好ましい他の例の皮膚浸透促進装置１２０（実施の形態３）の正面側の外観を模式的に示す図である。
【図６】本発明の好ましい他の例の皮膚浸透促進装置１２０（実施の形態３）の背面側の外観を模式的に示す図である。
【図７】本発明の好ましい他の例の皮膚浸透促進装置１２０（実施の形態３）の縦断側面図である。
【図８】実験例１の結果を示す写真であり、図８（ａ）は実施例１、図８（ｂ）は比較例１、図８（ｃ）は比較例２について示している。
【図９】実験例２の結果を示すグラフである。
【発明を実施するための形態】
【００１３】
＜美容成分の皮膚への浸透促進方法＞
本発明の美容成分の皮膚への浸透を促進する方法は、美容成分を皮膚に接触させた後、当該美容成分に大気中での放電により発生させた水分子と結合した正イオンおよび負イオンを照射することを特徴とする。なお、本発明において「美容成分」とは、たとえばセラミド、コラーゲン、ヒアルロン酸、アスコルビン酸など親水基を有する成分であり、化粧水、美容液、乳液、クリームなどの化粧品、医薬部外品、医薬品に含まれる、容姿を美しくするために顔などの皮膚に塗布される天然または合成の化学物質を指す。
【００１４】
ここで、図１は、本発明の美容成分の皮膚への浸透を促進する方法に好適に用いられる装置（後述する本発明の皮膚浸透促進装置の好ましい一例）におけるイオン発生素子６０を用いたイオン発生の原理を説明するための模式図であり、図２は図１に示したイオン発生素子６０を備える装置（本発明の皮膚浸透促進装置の好ましい一例）（実施の形態１）全体の外観を示す模式図である。
【００１５】
図２に外観を示したイオン発生器具６は、ケース（筐体）内に、イオン発生部として、図１に示したイオン発生素子６０を備える。イオン発生素子６０は、高電圧発生装置４，５に接続された電圧印加針電極１，２、ならびに、前記電圧印加針電極１，２に隣接して配置された接地（対向）電極３を有する。接地電極３には電圧印加針電極１，２を貫通させる貫通孔３１が電圧印加針電極の数配設されている。電圧印加針電極１，２は針状の先端を有し、電圧印加針電極１，２が高電圧発生装置４，５に接続され、支持された状態で、接地電極３の貫通孔３１の中心に位置して、貫通孔３１の、接地電極３の厚みの範囲内に針状先端が位置するように配置されている。
【００１６】
高電圧発生装置４，５が電圧印加針電極１，２に直流パルス電圧を供給して放電させることで、接地電極３の近傍の空気をイオン化する。イオン発生器具６のイオン発生素子６０により発生されるイオンは、ケースの開口６１から放出される。そして、放出したイオンはイオン発生器具６に隣接して設置された、送風部としての送風ファン７により、大気中に放散される。
【００１７】
イオン発生素子６０のイオン発生の原理を説明する。
イオン発生素子６０は、イオン発生電極として、高電圧発生装置４に接続する電圧印加針電極１（正イオン発生電極）と、高電圧発生装置５に接続する電圧印加針電極２（負イオン発生電極）を有する。前記電圧印加針電極１に直流パルス電圧を供給して、正の電圧を印加する一方で、電圧印加針電極２に直流パルス電圧を供給して、負の電圧を印加する。コロナ放電により正イオン発生電極１と接地電極３付近の空気を正イオン化し、負イオン発生電極２と接地電極３付近の空気を負イオン化する。
【００１８】
なお、発生するイオンの量（濃度）は高電圧発生装置４，５が電圧印加針電極１，２に印加する電圧・パルス周期により調節される。
【００１９】
本発明の美容成分の皮膚への浸透促進方法は、美容成分を皮膚に接触させた後、当該美容成分に大気中での放電により発生させた水分子と結合した正イオンおよび負イオンを照射することによって、皮膚に効率良く美容成分を浸透させることができる。本発明において、好ましくは、正イオンは、Ｈ＋（Ｈ２Ｏ）ｍ（ｍは任意の自然数）であり、負イオンは、Ｏ２−（Ｈ２Ｏ）ｎ（ｎは任意の自然数）である。
【００２０】
本発明においては、放電により発生させる正イオンおよび負イオンの濃度がそれぞれ７，０００個／ｃｍ3以上であることが好ましい。正イオンおよび負イオンの濃度がそれぞれ７，０００個／ｃｍ3未満である場合には、皮膚に水分を補う作用の効率が低い傾向にあるためである。なお、ここでイオン数の定義としては、小イオンを対象として計数したものであり、空気中の臨界移動度として、１ｃｍ2／Ｖ・秒としたものである。
【００２１】
本発明により美容成分の皮膚浸透が促進されることは、正負両イオンの水分が皮膚に接触し、それが浸透することにより、親水基を持つ美容成分が浸透するための経路ができる、という作用機序によるものであると考えられる。
【００２２】
＜美容成分の皮膚浸透促進装置＞
（実施の形態１）
本発明はまた、上述した本発明の美容成分の皮膚浸透促進方法に好適に用いられる装置についても提供する。本発明の美容成分の皮膚浸透促進装置は、大気中での放電により発生させた水分子と結合した正イオンおよび負イオンを発生させるイオン発生部と、美容成分を接触させた皮膚に前記正イオンおよび負イオンを送るための送風部とを備える。具体的には、図１、２を参照して上述した構成にて好適に実現することができる（実施の形態１）。
【００２３】
（実施の形態２）
図３および図４は、本発明の好ましい他の例の皮膚浸透促進装置７１（実施の形態２）を模式的に示す図であり、図３は外観、図４は断面を示している。図３および図４に示す例の皮膚浸透促進装置７１において、ケース（筐体）７２ａ内に、イオン発生部として、図１に示したようなイオン発生素子を有するイオン発生部７７を備える。イオン発生部７７のイオン発生素子により発生されるイオンは、ケース７２ａの開口（吹出口）７６から放出される。皮膚浸透促進装置７１は、図４に示すように、イオン発生部７７に隣接して、送風ファン７８を有する送風部７５を備える。イオン発生部７７において発生した正イオンおよび負イオンは、送風部７５の送風ファン７８により大気中に放散される。このように構成された皮膚浸透促進装置７１は、たとえば就寝中に使用すると、手間なく長時間イオンを皮膚に照射することができる。
【００２４】
皮膚浸透促進装置７１は、就寝中に都合の良い位置にイオン発生部７７と送風部７５とを配置するため、筐体７２ａと支持部７４とが、自由に傾きを調節できるアーム７３により連結されていることが好ましい。
【００２５】
また、皮膚浸透促進装置７１は、たとえば就寝中など長時間使用する間に肌が乾燥してしまうことを防ぐために、送風ファン７８による送風量は小さいことが好ましい。
【００２６】
（実施の形態３）
図５、図６および図７は、本発明の好ましい他の例の皮膚浸透促進装置１２０（実施の形態３）を模式的に示す図であり、図５は正面側の外観、図６は背面側の外観、図７は縦断側面図（クリップ部を除く）である。図５〜図７に示す皮膚浸透促進装置１２０も、大気中での放電により発生させた水分子と結合した正イオンおよび負イオンを発生させるイオン発生部と、美容成分を接触させた皮膚に前記正イオンおよび負イオンを送るための送風部とを備え、外部から吸い込んだ空気とともに、正イオンおよび負イオンを外部へ吹き出す機能を有する。皮膚浸透促進装置１２０は、外形が角柱状をなし、たとえば、高さが５０ｍｍ程度、左右方向の幅が３５ｍｍ程度、前後方向の厚みが１０ｍｍ程度と小型であり、携帯用として使用され得る。
【００２７】
皮膚浸透促進装置１２０は、ハウジング１２１、回路基板１６３、バッテリ１６４、上述した送風部である送風機１６５、上述したイオン発生部であるイオン発生器１６６、クリップ部１２２および吊り紐１２８を備える。ハウジング１２１は縦型で角筒状をなす胴部１１、胴部１３１の上端を覆う板状の上板１３２、胴部１３１の下端を覆う板状の底板１３３を備える。胴部１３１は、左右両側の中途部やや下寄りに吸込口１３１ａを有する。上板１３２は、前寄りに吹出口１３２ａ，１３２ｂを有する。底板１３３には、外部電源に接続するためのＵＳＢソケット端子及び電源ボタン（図示略）を設けてある。
【００２８】
皮膚浸透促進装置１２０のハウジング１２１内部構成について説明する。回路基板１６３は、前後方向の略中央に配置されている。バッテリ１６４は、たとえば充電可能なリチウムイオン電池などであり、外形が矩形板状をなす。バッテリ１６４は回路基板１６３の後側に配してある。送風機１６５は遠心ファンであり、複数の羽根１６５ａがモータ１６５ｂにより前後方向の軸まわりに回転駆動される。送風機１６５は、回路基板１６３の前側に隙間を空けて配置されており、該隙間はハウジング１２１の胴部１３１に設けた吸込口１３１ａに通じており、上流側通流路１６７ａを構成している。
【００２９】
送風機１６５の羽根１６５ａが回転することにより、図７の白抜き矢印に示すように、上流側通流路１６７ａから送風機１６５の内部空間１６７ｂに空気が吸い込まれ、送風機１６５の上部に設けた開口から下流側通流路１６７ｃへ送出される。下流側通流路１６７ｃには、イオン発生器１６６の放電電極が露出している。
【００３０】
イオン発生器１６６は回路基板１６３の上方に配置されており、イオン発生器１６６の２つの放電電極には負極性の高電圧、正極性の高電圧がそれぞれ印加され、これにより正イオンおよび負イオンが発生する。イオン発生器１６６により発生させた正イオンおよび負イオンは、下流側通流路１６７ｃを通流する空気とともに、吹出口１３２ａ，１３２ｂから吹き出される。
【００３１】
以下、本発明の効果について実験した結果について説明する。
＜実験例１＞
ヒト正常表皮細胞を重層培養したヒト三次元培養表皮モデル（ラボサイト  エピ・モデル１２、株式会社ジャパン・ティッシュ・エンジニアリング製）に対して（ａ）化粧品塗布後、６時間正負両イオンおよび風を照射した場合（実施例１）、（ｂ）化粧品塗布後、６時間風のみを照射した（送風条件は実施例１と同じ）場合（比較例１）、（ｃ）化粧品塗布後、６時間自然放置した場合（比較例２）の３ケースについて、皮膚への美容成分の浸透レベルを観察した。
【００３２】
具体的には、室温２４．５±１℃、湿度２０±２％の環境において、表皮モデルに、蛍光標識セラミドＣ−１２  ＮＢＤ−Ｄ−エリトロ−スフィンゴシン（Ｃ−１２  ＮＢＤ  Ｃｅｒａｍｉｄｅ、ケイマン・ケミカル社製）を含む液体を１００μＬ塗布した後、表皮モデルの位置で正イオンおよび負イオンの各々が１００，０００個／ｃｍ３のイオン濃度になるように美容成分の皮膚浸透促進装置（プラズマクラスターベッドサイドモイスチャーＩＢ−ＢＳ１２、シャープ株式会社製）のイオン発生部および送風部を調整して照射した。化粧品の他の配合成分は、化粧品で一般的に用いられる水、エタノール、グリセリン、ブチレングリコール、ＰＥＧ６０水添ヒマシ油とした。蛍光セラミドの浸透レベルは表皮モデルの断面を蛍光顕微鏡で観察することにより判断した。
【００３３】
図８は、実験例１の結果を示す写真であり、図８（ａ）は実施例１、図８（ｂ）は比較例１、図８（ｃ）は比較例２について示している。図８（ａ）によると、化粧品塗布後、正負両イオンおよび風を照射した場合（実施例１）には、化粧品塗布のみよりも皮膚の奥まで（角層表面だけでなく、顆粒層、有棘層まで）蛍光セラミドが浸透していることが分かる。化粧品塗布後、風のみを照射した場合（比較例１）は化粧品塗布のみの場合（比較例２）と同様に、角層表面までの浸透であるため、実施例１の効果は正負両イオンの効果であることが分かる。
【００３４】
＜実験例２＞
ヒトの皮膚に対して（ａ）化粧品塗布後、２時間正負両イオンおよび風を照射した場合（実施例２）、（ｂ）化粧品塗布後、２時間風のみを照射した（送風条件は実施例２と同じ）場合（比較例３）の２ケースについて、皮膚への美容成分の浸透量を測定した。
【００３５】
具体的には、室温２１℃、湿度３９〜４０％の環境において、ヒトの前腕内側５ｃｍ角の範囲にセラミド配合化粧水を５０μＬ塗布した後、塗布部分で正イオンおよび負イオンの各々が１００，０００個／ｃｍ３のイオン濃度になるように美容成分の皮膚浸透促進装置（プラズマクラスターベッドサイドモイスチャーＩＢ−ＢＳ１２、シャープ株式会社製）のイオン発生部および送風部を調整して照射した。化粧品の他の配合成分は、化粧品で一般的に用いられる水、エタノール、グリセリン、ブチレングリコール、ＰＥＧ６０水添ヒマシ油とした。角層へのセラミドの浸透量は皮膚表面（角層）をテープ２×５ｃｍで剥がし、採取された角層中のセラミドをＨＰＬＣにより定量した。
【００３６】
図９は、実験例２の結果を示したグラフであり、縦軸は検出されたセラミド量（μｇ／ｍｌ）、横軸はＰＣＩなし（比較例３）、ＰＣＩあり（実施例２）をそれぞれ示している。図９に示す結果では、化粧品の塗布後に正負両イオンおよび風を照射した場合（実施例２）では検出されたセラミド量は３．１６０μｇ／ｍｌであったのに対し、化粧品の塗布後、２時間風のみを照射した場合（比較例３）では検出されたセラミド量は２．４８３μｇ／ｍｌであり、化粧品の塗布後に正負両イオンおよび風を照射した場合が角層中へのセラミド量が多かったことが分かる。
【００３７】
以上２つの実験例から、化粧品等を塗布後、イオンを照射することによって、従来よりも美容成分の浸透効果が高められることが分かる。
【符号の説明】
【００３８】
１  電圧印加針電極（正イオン発生電極）、２  電圧印加針電極（負イオン発生電極）、３  接地（対向）電極、４  高電圧発生装置、５  高電圧発生装置、６  イオン発生器具、７  送風ファン、３１  貫通孔、６０  イオン発生素子、６１  開口、７１  皮膚浸透促進装置、７２ａ  ケース、７３  アーム、７４  支持部、７５  送風部、７６  開口、７７  イオン発生部、７８  送風ファン、１２０  皮膚浸透促進装置、１２１  ハウジング、１２２  クリップ部、１２８  吊り紐、１３１  胴部、１３２  上板、１３２ａ，１３２ｂ  吹出口、１３３  底板、１６３  回路基板、１６４  バッテリ、１６５  送風機、１６５ａ  羽根、１６５ｂ  モータ、１６６  イオン発生器、１６７ａ  上流側通流路、１６７ｂ  内部空間、１６７ｃ  下流側通流路。
【図１】
2015156017.tif 000003
【図２】
2015156017.tif 000004
【図３】
2015156017.tif 000005
【図４】
2015156017.tif 000006
【図５】
2015156017.tif 000007
【図６】
2015156017.tif 000008
【図７】
2015156017.tif 000009
【図９】
2015156017.tif 000010
【図８】
2015156017.tif 000011
【国際調査報告】
2015156017.tif 000012
2015156017.tif 000013
2015156017.tif 000014